(57)【要約】【課題】水耕栽培において、植え替えを伴うことなく株間調整を実現できる栽培パネルを提供すること。【解決手段】植物固定用穴と植物体通過用穴が設けられている栽培パネルであることを特徴とする水耕栽培用パネル。【選択図】図１
2019208459.tif 000002
【特許請求の範囲】
【請求項１】
植物固定用穴と植物体通過用穴が設けられている栽培パネルであることを特徴とする水耕栽培用パネル。
【請求項２】
植物固定用穴と植物体通過用穴が設けられている栽培パネルである水耕栽培用パネルであって、
複数の栽培パネルを組み合わせて用いる場合であって、特定の配置に設けられている植物固定用穴を有する一方の水耕栽培パネルと、一方の水耕栽培パネルに設けられた特定の配置に設けられている植物固定用穴に該当する部分には植物体通過用穴が設けられている他の水耕栽培パネルとからなることを特徴とする水耕栽培用パネル。
【請求項３】
特定の配置に設けられている植物固定用穴は、栽培植物の収穫期の配置に設けられていることを特徴とする請求項２記載の水耕栽培用パネル。
【請求項４】
縁に取っ手が設けられていることを特徴とする請求項１〜３のいずれかに記載の水耕栽培用パネル。
【請求項５】
請求項２〜４のいずれかに記載された栽培パネルは、２ｎ（ｎ＝株間調整回数）の数を積層する枚数とすることを特徴とする積層栽培パネル。
【請求項６】
請求項２〜４のいずれかに記載された栽培パネルに設けられている植物固定用穴部分に植物体通過用穴が設けられており、他の部分がめくらとされていることを特徴とする塞ぎパネル。
【請求項７】
栽培ベッドを用いた、請求項１〜４のいずれかに記載の栽培パネル、又は、請求項５に記載の積層栽培パネルを利用し、栽培植物の生長に応じて株間を調整する栽培方法において、次の栽培工程を備えたことを特徴とする栽培方法。
第１工程：栽培パネルの植物固定用穴に播種又は苗を植え付けて栽培する工程、
第２工程：１回又は数回の株間調整を行う際に、前工程で栽培された植物を植え付けた栽培パネルの数を増加させて栽培ベッドに載置し、栽培する工程、
第３工程：最終の株間調整において、栽培パネルと請求項６に記載された塞ぎパネルを組み合わせる工程、
第４工程：収穫時期まで栽培して収穫する工程。
【発明の詳細な説明】
【技術分野】
【０００１】
水耕栽培技術に関する。
【背景技術】
【０００２】
露地栽培や土壌を利用したハウス栽培に比べて、自然環境に左右されない野菜の水耕栽培が注目されている。しかし、栽培コストが高いこともあって、普及が進んでいるとは言い難い。
栽培装置や栽培工程に各種の工夫が提案されている。その一つとして、労力を必要とする株間の調整がある。植物は、種から収穫するまで、徐々に生長し、大きさに合わせた面積が必要になる。この生長に合わせて隣接する株の間を広げる技術が提案されている。
特開平８−９８６３３号公報（特許文献１）には、植物を支持するための孔４が列設された複数の植物支持体２をその幅方向に並列して、折畳み可能なシート材からなる連結シート３により相互に連結することにより全幅を拡縮自在とされた植物栽培パネルにおいて、前記各植物支持体２の長手方向に少なくとも一端に設けられた係合部１０に、一端が一側端に位置する植物支持体側に固定された屈撓可能な材料からなるスライド板１２をスライド可能に係合し、他側端に位置する植物支持体２の側部には前記スライド板１２の自由端１２ａを出入自在とする収納部１５を設けたことを特徴とする。
特開平７−９９８５３号公報（特許文献２）には、第一〜第三のステージの送りライン１６Ａおよび戻りライン１６Ｂの何れかを複数並列に配置し、レーンシフタ１７およびパネルサーバ１８でパネルの分配および回収を行う。複数のラインでは一本のラインのライン数分の一の速度で送る。これにより複数並列の部分を通る栽培パネルに充分な栽培時間が確保されるようになる。
実開平５−７４２５２号公報（特許文献３）には、植物を支持する孔１１が形成された複数の植物支持体としての短冊パネル１２を幅方向に並べて各短冊パネル１２間を折りたたみ自在なシート部１３で連結し、短冊パネル１２の長手方向両端部に係合部１７Ａ、１７Ｂを有するパネル枠１４Ａ、１４Ｂを取付け、この係合部１７Ａ、１７Ｂにスライド棒１５Ａ、１５Ｂを貫通させることにより各短冊パネル１２を連結する。
その他、１枚の栽培パネルに設けた栽培穴を利用して植え替える方法や、隣接する栽培穴間株間を伸長できるように切れ込みと折り畳みをした栽培パネルなどが提案（特開２０１４−１３５９２８号公報（特許文献４）、特開２０１２−２２３１２０号公報（特許文献５））されている。
【先行技術文献】
【特許文献】
【０００３】
【特許文献１】特開平８−９８６３３号公報
【特許文献２】特開平７−９９８５３号公報
【特許文献３】実開平５−７４２５２号公報
【特許文献４】特開２０１４−１３５９２８号公報
【特許文献５】特開２０１２−２２３１２０号公報
【発明の概要】
【発明が解決しようとする課題】
【０００４】
本発明は、水耕栽培において、植え替えを伴うことなく株間調整を実現できる栽培パネルを提供することを目的とする。
【課題を解決するための手段】
【０００５】
１．植物固定用穴と植物体通過用穴が設けられている栽培パネルであることを特徴とする水耕栽培用パネル。
２．植物固定用穴と植物体通過用穴が設けられている栽培パネルである水耕栽培用パネルであって、複数の栽培パネルを組み合わせて用いる場合であって、特定の配置に設けられている植物固定用穴を有する一方の水耕栽培パネルと、一方の水耕栽培パネルに設けられた特定の配置に設けられている植物固定用穴に該当する部分には植物体通過用穴が設けられている他の水耕栽培パネルとからなることを特徴とする水耕栽培用パネル。
３．特定の配置に設けられている植物固定用穴は、栽培植物の収穫期の配置に設けられていることを特徴とする２．記載の水耕栽培用パネル。
４．縁に取っ手が設けられていることを特徴とする１．〜３．のいずれかに記載の水耕栽培用パネル。
５．２．〜４．のいずれかに記載された栽培パネルは、２ｎ（ｎ＝株間調整回数）の数を積層する枚数とすることを特徴とする積層栽培パネル。
６．２．〜４．のいずれかに記載された栽培パネルに設けられている植物固定用穴部分に植物体通過用穴が設けられており、他の部分がめくらとされていることを特徴とする塞ぎパネル。
７．栽培ベッドを用いた、１．〜４．のいずれかに記載の栽培パネル、又は、５．に記載の積層栽培パネルを利用し、栽培植物の生長に応じて株間を調整する栽培方法において、次の栽培工程を備えたことを特徴とする栽培方法。
第１工程：栽培パネルの植物固定用穴に播種又は苗を植え付けて栽培する工程、
第２工程：１回又は数回の株間調整を行う際に、前工程で栽培された植物を植え付けた栽培パネルの数を増加させて栽培ベッドに載置し、栽培する工程、
第３工程：最終の株間調整において、栽培パネルと６．に記載された塞ぎパネルを組み合わせる工程、
第４工程：収穫時期まで栽培して収穫する工程。
【発明の効果】
【０００６】
１．本発明は、水耕栽培において、植え替えを伴うことなく、かつ複雑な構造や装置を使用することなく、株間調整を行うことができる水耕栽培パネルを実現した。
本発明に用いられる個々の栽培パネルは、発泡樹脂の１枚パネルに穴をあけたパネルや、プラスチックを成形するだけなので簡便な構造である。
植物の生長に応じて株間調整を行うことができる栽培パネルであって、植物固定用の穴と植物体通過用の穴が設けられており、重ねて使用しても、下方の栽培パネルに植栽されている植物体が上方の栽培パネルに設けられている植物体通過用穴を通して生長することや、上方の栽培パネルを取り外すことができる。
植物（野菜）が小さいときは、この栽培パネルを積み重ねて栽培し、生長にしたがって分離して栽培ベッドに順次広げて使用することができる。このように積層されている栽培パネルから、栽培パネルを外すことによって、外された分の栽培パネルの植物固定用穴に植物が固定されて分離され、下方の栽培パネルに同様に植物固定用穴に植栽されている植物は上方の通過穴を通過することができるので、下の栽培パネルに引き続き固定されていることになる。この分離された上側の栽培パネルを栽培ベッドに移すことによって、上下の栽培パネルに残っている株の分が広がった株間となるので、株間調整を行うことができる。
組み合わせるそれぞれの栽培パネルには、最初に植栽する苗の配置として、収穫期の植物配置に沿って計画されることとなる。また、上下に積層する栽培パネルに設ける植物固定用穴と植物体通過用穴を収穫期を想定して予め設定しておくことができる。
個々の栽培パネルに設ける植物固定用穴を収穫期の植栽状態となるように設け、この収穫期の植物固定用穴と上下で重ならないように配置され、さらに、他の栽培パネルの植物固定用穴同士も重ならないように配置して、上下に積層される栽培パネルが決定されている。
積層されて組み合わされる上方の栽培パネルには、下方の栽培パネルに植栽されている植物体が通過できる植物体通過用穴が存在することになるので、株間調整回数に応じて、順に株間が調整されて最終株間になるまで株間調整を繰り返すことができる。
栽培パネルの積層枚数を２の指数枚とすると、株間調整毎に半分の積層数に分割することとなり、栽培面積は倍々に増加することができる。
最終栽培間隔になった時点で塞ぎパネルで植物通過用穴を塞ぐことにより、栽培溶液などの蒸散を防止することができる。
２．この積層栽培パネルを利用することによって、個々の植物体を植え替える必要が無く、上下の栽培パネルを分離して移動することで株間調整を行うことができる。
３．株間調整作業にしたがって、栽培に利用する面積が増加するので、植物の生長段階に応じて必要な栽培面積を活用するだけで良く、栽培コストを低減できる。 
【図面の簡単な説明】
【０００７】
【図１】積層栽培パネルと積層用の栽培パネルを示す図
【図２】栽培パネルの例
【図３】塞ぎパネルを示す図
【図４】葉物野菜を例にした植物の生長イメージ
【図５】栽培工程
【図６】株間調整と栽培面積の変化を模式的に示す図
【図７】株間調整と栽培ベッドの利用を模式的に示す図
【図８】積層栽培パネルと積層用の栽培パネルを示す図
【図９】株間間隔の例を示す図
【図１０】取っ手付き栽培パネルの例を示す図
【発明を実施するための形態】
【０００８】
本発明は、溶液方式や噴霧式等の水耕栽培に用いられる水耕栽培用パネルに関する発明である。植物は、水耕栽培に限らず、播種から収穫まで徐々に生長する。生長に合わせて隣接する植物の間隔を広げる調整が行われる。これを株間調整という。
この播種から出荷まで、「播種→育苗→定植→植え替え（間引き、株間調整）→収穫→検査・包装→出荷」の工程を経る。一般的には、播種用シート、定植用パネル、植え替えて生長させるパネルなど、それぞれの栽培工程に応じたパネルが必要となり、そのたびに植え替え作業が必要となる。栽培植物では、主にレタス、ほうれん草、小松菜、水菜、ハーブ等の栽培に用いられる。
【０００９】
本発明は、播種から収穫までを一貫して利用できる水耕栽培用パネルであり、積層など組み合わせられている積層栽培パネルである。
本発明の積層栽培パネルにおいて、個々の栽培パネルには、収穫期の間隔である最終株間間隔を意識して他の栽培パネルと異なる位置に植物が固定（「植栽」、「定植」、「植え付け」などと称される）用の穴が形成されている。そして、個々の栽培パネルには、植物固定用の穴以外の他の箇所（積層される他の栽培パネルの植物固定用穴に対応する箇所）には植物体が通過する穴が形成されている。なお、通常用いられる栽培パネルは、均一な栽培密度になるように、格子状などに植栽される。本発明も、合理的な栽培が行われるのが前提である。栽培パネルに設けられている植物体通過用の穴は、取り外す株間調整パネルの下方のパネルに残る植物の葉などが通過する穴である。
栽培パネルの素材は発泡樹脂板やプラスチック成型板など通常用いられている素材を利用することができる。必要に応じて枠材や梁材で補強することができる。栽培パネルの縁に取っ手を設けて、操作性を向上させることができる。この取っ手を設ける場合、積層用栽培パネルでは、取っ手の位置を変えて、扱いやすくするなどの工夫をすることができる。
【００１０】
この積層されている個々の栽培パネルの植物固定用穴にスポンジや播種ポットを詰めて種を播くことにより、発芽させて育苗することができる。あるいは、別途播種と育苗を行った後に、苗を積層栽培パネルの植物固定用穴に移植して各栽培パネルに定植することができる。
定植後は、植物の生長に合わせて、積層してある栽培パネルを取り外して栽培ベッドに広げて株間調整を行う。例えば、積層枚数の半数をセットにして栽培パネルを外して栽培ベッドに載置することにより、株間を広げることができる。その後、株間調整に応じて、半数の枚数を外して、栽培ベッドに展開して栽培を継続する。また、３枚の栽培パネルを重ねた積層栽培パネルは、３枚をバラバラにして栽培ベッドに展開することができる。
そして、最終の株間調整時に塞ぎパネルと組み合わせることにより、植物通過用の穴が塞がれて、栽培溶液の蒸散などを防止することができる。最終の株間調整後には、植物通過穴による開口面積が一番大きいので、開口による影響を最小限にするために塞ぎパネルを設けている。なお、この塞ぎパネルは中間の株間調整時の積層栽培パネルに応じた中間用の塞ぎパネルを製作して、利用することもできる。
【００１１】
本発明は、栽培パネルを植物生長に応じて取り外して、栽培ベッドに広げることによって、個々の植物を移植することなく、株間調整を行うことができる。株間調整装置など複雑な装置や展開用に折り畳みなど複雑な加工を必要としない、「穴をあける」簡単な工夫によって、株間調整を可能にした発明である。
本発明の積層栽培パネルは、栽培ベッドを利用した水耕栽培に適している。水耕栽培は、溶液方式の栽培や噴霧（ミスト）方式の栽培に適している。栽培する植物は、レタスなどの葉物野菜が適している。葉物野菜は、生長が速く、１ヶ月から２ヶ月サイクルで栽培できるので、植え替えなどの手間を省力化する効果が大きい。
播種から収穫まで１つのレーンで一方向に移動させて連続栽培する植物工場等では、積層水耕栽培パネルを利用して株間調整を自動で行うことができる。例えば、株間調整箇所にリフトアップ装置を設け、分割するパネルを持ち上げて、隙間を設け戻すことによって実施することができる。この場合、パネルによって取っ手の位置が特定されていると、リフトアップが容易である。
【００１２】
＜実施態様１＞
本発明の実施態様１を説明する。  
積層栽培パネル１００とその積層されている栽培パネルＡＢＣＤを図１に示す。
積層栽培パネル１００は、４枚の栽培パネルＡＢＣＤが積層されている。
この栽培パネルは定植用の穴（植物固定用の穴）を２４個設けることができるサイズのパネルを基本例としている。４枚の個別の栽培パネルには６個の植物固定用の穴２が他の栽培パネルと異なる位置に設けられている。そして、他の１８箇所には大きな植物体通過用穴３が設けられている。栽培パネルに設けられている６個の植物固定用穴２は、最終株間調整間隔に配置されている。この４枚を積層した積層栽培パネル１００には、一番上の栽培パネルに設けられた穴の配置が示されるが、平面図的には２４個の穴すべてに、植物固定用の穴が存在することになる。
なお、穴の数は、２４に限定されるものでないことは言うまでもない。栽培植物の種類や設定される収穫期の大きさなどによって、株間も変わるので、それに合った栽培パネルの設計がなされることとなる。
【００１３】
栽培パネルの例を図２に示す。
図２は栽培パネルＣを例にしている。第１行、第３行、第２列、第４列、第６列のそれぞれの列と行の交差部に植物固定用穴２が設けられている。他の行と列の交差部には大きな穴である植物体通過用穴３が設けられている。断面図に示すように、この植物固定用穴２には栽培用植物の苗５が植栽されている。植物固定用穴２の拡大図が（ｃ）に示されている。植物固定用穴２の中には播種用の凹みが形成された播種シート４が挿入されている。この播種シートに種を播き発芽させて苗に生長させることができる。播種シートは、育苗用のポットを用いることもできる。この植物固定用穴の大きさは、収穫まで植物の根本を支えることができる大きさに設定されている。図（ｄ）には、播種シートと播種ポットを用いた育苗状態の栽培パネルの様子を示す。播種シートでは植物固定用の穴にシートを詰めて、播種して出芽する。栽培ポットの場合は、ポットの縁が栽培パネルの穴の縁に引っ掛かるようにする。
この播種及び苗の育成は、専用の育苗設備を使用することもでき、積層栽培パネル１００に直に播種して行うこともできる。育苗された苗を使用する場合は、この積層栽培パネル１００に苗を定植することになる。
この栽培パネルは、約９００ｍｍ×７００ｍｍのサイズで、１４０ｍｍの格子を基本にしている。
【００１４】
塞ぎパネルを図３に示す。
塞ぎパネルＡＢＣＤの４枚である。それぞれの塞ぎパネルは、栽培パネルＡＢＣＤに対応している。塞ぎパネルには対応する栽培パネルに設けられている６個の植物固定用穴に相当する部分に植物体通過用穴３と同程度の大きさの穴が形成されており、他の部分はめくらになっている。
この４枚の塞ぎパネルは、積層栽培パネル１００とは別体に準備されており、最終の株間調整（本実施態様では２回目の株間調整）のときに対応する栽培パネルを組み合わせて用いられる。
それぞれの栽培パネルには１８個の植物体通過用穴３が設けられているので、そのままで栽培すると、その開口部から溶液や噴霧が蒸散するので、これを防止するために塞ぎパネルで塞ぐこととする。
なお、第１回目の株間調整でも１２個の植物体通過用の開口ができるので、この対策として、この１２個の開口を塞ぐ塞ぎパネルを設けることもできる。 
【００１５】
葉物野菜を例にした植物の生長イメージを図４に示す。
水耕栽培に適している葉物野菜の生長のイメージは、播種して育苗された苗を定植した栽培開始日をスタートとすると苗の径は４０ｍｍ程度であり、これが、栽培１０日で１４０ｍｍ、栽培２０日で２００ｍｍ、栽培３０日の収穫期で２４０ｍｍ程度となる。なお、これは一例であり、野菜の種類や温度などの環境管理によって異なることがある。
この生長に合わせて株間調整を行う。本実施態様では、栽培１０日目と２０日目の株間調整を行う。最初の積層パネルには植物固定用穴２が１４０ｍｍ間隔に設けられている。これは、第１回目（栽培１０日目）の株間調整時の野菜が生長した大きさに合わせられている。第２回目（栽培２０日目）の隣接間隔は２８０ｍｍであって、収穫期の野菜の大きさを十分確保できる間隔となっている。このように、栽培する野菜の生長コントロールや出荷する野菜の大きさにあわせて、植物固定用穴の間隔を考えて設定する。    
【００１６】
栽培における株間調整工程を図５に示す。４枚の栽培パネル１が積層された積層栽培パネル１００と分離する状態を図８に示す。栽培パネルの穴間隔については、図９に示す。
定植期には、積層栽培パネル１００に大きさ４０ｍｍの苗５を定植する。株間は１４０ｍｍである。植物固定用穴２４個に２４本の苗が定植される。本例では、別に播種して育苗した苗を使用することとして説明する。この積層栽培パネルに直接播種することもできるが、発芽不良や生育不良がでる確率があるので、収穫歩留まり等を考慮すると育苗は別工程で行うことも合理的である。苗は根が長く生長しているので、積層された上のパネルの植物固定用穴２に植え込んだ苗でも十分に栽培溶液に達することができる。
第１回株間調整は、定植から１０日後に行う。積層栽培パネルの上方に載っている栽培パネルＡＢを分離して栽培ベッドに載せて、栽培は１２株が植栽されている栽培パネルＡＢと栽培パネルＣＤの２セットとなり、２倍の栽培面積となる。野菜は１４０ｍｍの大きさに生長している。斜め方向にある野菜が隣接株となり、２００ｍｍの株間が確保されている。
第２回目の株間調整を、第１回目の株間調整から１０日後（栽培２０日目）に行う。株間調整時点で野菜は２００ｍｍの大きさに生長している。
栽培パネルＡＢと栽培パネルＣＤのセットをそれぞれ分離して、４枚の栽培パネルが栽培ベッドに展開されて、栽培面積はさらに２倍になる。それぞれの栽培パネルには６株が植栽されている。株間は縦横２８０ｍｍ確保されている。
その後１０日間栽培されて収穫される。収穫期の野菜の大きさを２４０ｍｍに想定しているので、十分な株間が確保されている。
【００１７】
図６に栽培ベッドの利用を模式的に示す。
栽培ベッド６は単純な栽培溶液を貯留して循環させるタイプを例に取る。栽培ベッド６は、栽培パネル１の４枚分の大きさをそなえ、栽培パネル毎に溶液管理ができるものとする。
図６は株間調整にしたがって大きな栽培面積が必要となる様子を示す。定植時には積層栽培パネル１００が載っている面積、すなわち栽培パネル１枚分の面積を利用し、第１回株間調整によって、栽培面積は栽培パネル２枚分となり、第２回の株間調整によって栽培面積は栽培パネル４枚分に増加することとなる。
【００１８】
図７は、栽培をサイクルで行う場合の例を示す。
この例では、積層された４枚の栽培パネル１と４枚分の大きさの栽培ベッド６を利用する場合、栽培ベッドは２つでサイクルできることを示している。
第１栽培ベッド６１では、１つの区画は育苗用に利用し、２つ目の区画は定植用に利用し、３４の区画は第１回株間調整に利用する。第２栽培ベッド６２の４区画は、第２株間調整に利用する。これによって、２つの栽培ベッドでサイクルできるようになる。
さらに、ＡＢＣＤの積層栽培パネルでの定植期の世代、第１回株間調整期の世代、第２回株間調整期の世代と３世代を２つの栽培ベッドでサイクルできるようになる。
この例では、二段に分けて説明しているが、パネル８枚分の長さのあるベッドを用いれば、左から右へ１０日ごとにずらしていくことができるようになる。定植を２枚、３枚と増やすとそれに伴い長い栽培ベッドが必要となる。
【００１９】
図８、９は株間間隔の例を示す図である。
図４及び図５において、葉物野菜の生長及び株間調整を説明したように、本実施態様における株間間隔の例が図８に示されている。
この栽培パネルでは、植物固定用穴を縦横１４０ｍｍ間隔、斜め方向の植物固定用穴は約２００ｍｍの間隔となる。この１４０ｍｍの間隔は最初に定植した時期から第１回の株間調整時の野菜の大きさに対応している。２００ｍｍは第１回の株間調整時から第２回株間調整時までの間に生長する野菜の大きさを吸収できる大きさである。さらに、第２回株間調整後には、１４０ｍｍ×２である２８０ｍｍの間隔が確保されることとなり、収穫期の野菜の大きさを十分に吸収できる。
この株間間隔は、栽培する野菜の種類、定植期の大きさ、株間調整時期の大きさによって設定されるので、この間隔に特定されるものではない。
この栽培パネルに設けられる植物固定用穴は直径２５ｍｍ、植物体通過用穴は、直径１２０ｍｍとしてある。なお、葉物野菜は植物体通過用穴が小さくても通過できることはいうまでもない。本例の場合、植物体通過用穴は、直径６０ｍｍ以上あれば通過可能である。
そして、９００×６００ｍｍ（実寸は８９０×５９０ｍｍ）の栽培パネルでは、植物固定用穴２４個分が設けられる大きさであり、４枚を積層して株間調整を２回行う場合は、１枚の栽培パネルには苗は６株を定植することになり、植物固定用穴は６個、植物体通過用穴１８個が設けられる。あるいは、株間調整を１回行って、収穫する場合は、１枚の栽培パネルに１２株の苗を定植することになるので、１２個の植物固定用穴、１２個の植物体通過用穴が設けられた栽培パネルとなる。
【００２０】
＜実施態様２＞
取っ手付き栽培パネルの例を図１０に示す。
本例は、組み合わせる４枚の栽培パネルによって取っ手７の位置を変えたものである。
図（ａ）は栽培パネルが４枚積層された状態を示している。栽培パネルの両側に取っ手が設けられている。取っ手７は、基元取っ手７１、７３と区別取っ手７２、７４を設けている。図示の例では、取っ手の設置箇所をずらした４種類の区別取っ手７２ａｂｃｄ、７４ａｂｃｄとしている。基元取っ手を左手で把持し、右手で区別取っ手を持って、持ち上げて、ずらす動作を行う。左右に設けて、二名組みで間違うことなく行うことができる。
この基元取っ手も区別取っ手のようにずらして取り付けることによって、自動でピックアップできるようになり、装置化することができる。
【符号の説明】
【００２１】
１００・積層栽培パネル
１・・・栽培パネル
１５・・塞ぎパネル
２・・・植物固定用穴
３・・・植物体通過用穴
４・・・播種シート
５・・・苗
６・・・栽培ベッド
６１・・第１栽培ベッド
６２・・第２栽培ベッド
７・・・取っ手
７１・・基元取っ手
７２・・区別取っ手
７３・・基元取っ手
７４・・区別取っ手
【図１】
2019208459.tif 000003
【図２】
2019208459.tif 000004
【図３】
2019208459.tif 000005
【図４】
2019208459.tif 000006
【図５】
2019208459.tif 000007
【図６】
2019208459.tif 000008
【図７】
2019208459.tif 000009
【図８】
2019208459.tif 000010
【図９】
2019208459.tif 000011
【図１０】
2019208459.tif 000012